(57)【要約】  本願は、フィードバック情報伝送方法および装置を提供する。前記方法は、同一の構造行列から変換されたプリコーディング行列を含む第１コードブックを、送信側がチャネル測定結果に基づいて確定することと、前記第１コードブックの中の一部またはすべてのプリコーディング行列に基づいて、前記送信側が第１ＣＱＩを算出することと、前記第１コードブックを示すための第１指示情報と、前記第１ＣＱＩを示すための第２指示情報を、前記送信側から受信側に送信することとを含む。【選択図】  図１
2019512935.tif 000002
【特許請求の範囲】
【請求項１】
同一の構造行列から変換されたプリコーディング行列を含む第１コードブックを、送信側がチャネル測定結果に基づいて確定することと、
前記第１コードブックの中の一部またはすべてのプリコーディング行列に基づいて、前記送信側が第１ＣＱＩ（Ｃｈａｎｎｅｌ  Ｑｕａｌｉｔｙ  Ｉｎｄｉｃａｔｏｒ）を算出することと、
前記第１コードブックを示すための第１指示情報と、前記第１ＣＱＩを示すための第２指示情報を、前記送信側から受信側に送信することとを含むフィードバック情報送信方法。
【請求項２】
前記第１コードブックの中の一部またはすべてのプリコーディング行列に基づいて、前記送信側が第１ＣＱＩを算出することは、
前記送信側が前記第１コードブックからＲＥ（Ｒｅｓｏｕｒｃｅ  Ｅｌｅｍｅｎｔ）毎に１つのプリコーディング行列を選択して前記ＲＥの第１プリコーディング行列とすることと、
第１サブバンド毎に、前記送信側が前記第１サブバンドに含まれるＲＥの第１プリコーディング行列に基づいて、前記第１サブバンドに対応する第１ＣＱＩを算出することとを含む請求項１に記載の方法。
【請求項３】
前記送信側がチャネル測定結果に基づいて第１コードブックを確定することは、
チャネル測定結果に基づいて、前記送信側が所定の第２コードブックから第２プリコーディング行列を選択することと、
前記送信側が前記構造行列とする前記第２プリコーディング行列に基づいて前記第１コードブックを確定することとを含み、
ここで、前記第１指示情報は、前記第２プリコーディング行列を示すための識別情報である請求項１に記載の方法。
【請求項４】
前記送信側が前記第２プリコーディング行列に基づいて前記第１コードブックを確定することは、
前記送信側が前記第２プリコーディング行列の中の列ベクトルの列交換による行列から形成される集合を前記第１コードブックとして確定すること、
および／または、
前記送信側が前記第２プリコーディング行列と所定の行列集合の中の行列とのそれぞれの所定演算による行列から形成される集合を前記第１コードブックとして確定すること、
および／または、
前記送信側が前記第２プリコーディング行列を少なくとも２つの成分行列に分解し、前記少なくとも２つの成分行列のうちの少なくとも１つの成分行列と所定の行列集合の中の行列との所定演算による行列から形成される集合を前記第１コードブックとして確定することを含む請求項３に記載の方法。
【請求項５】
前記送信側がチャネル測定結果に基づいて第１コードブックを確定することは、
チャネル測定結果に基づいて、前記送信側が所定のプリコーディング行列集合から１つのプリコーディング行列集合を選択して前記第１コードブックとすることを含み、
ここで、前記第１指示情報は、所定のプリコーディング行列集合における前記第１コードブックのインデックス情報である請求項１に記載の方法。
【請求項６】
前記送信側がチャネル測定結果に基づいて第１コードブックを確定することは、
チャネル測定結果に基づいて、前記送信側が所定のプリコーディング行列集合から１つのプリコーディング行列集合を選択することと、
前記送信側がチャネル測定結果に基づいて、選択したプリコーディング行列集合から１つのプリコーディング行列部分集合を選択し、選択したプリコーディング行列部分集合を前記第１コードブックとして確定することとを含み、
ここで、前記第１指示情報は、所定のプリコーディング行列集合における選択したプリコーディング行列集合のインデックス情報、および、選択したプリコーディング行列集合における選択したプリコーディング行列部分集合のインデックス情報を含む請求項１に記載の方法。
【請求項７】
チャネル測定結果に基づいて、前記送信側が前記第１コードブックから１つのプリコーディング行列を選択して第３プリコーディング行列とすることと、
前記第３プリコーディング行列に基づいて、前記送信側が第２ＣＱＩを算出することと、
前記第３プリコーディング行列を識別するための識別情報と前記第２ＣＱＩを示すための情報を前記送信側から前記受信側に送信することとをさらに含む請求項１〜６のいずれか一項に記載の方法。
【請求項８】
送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を、受信側によって受信することと、
前記受信側によって、前記第１コードブックを示すための指示情報から前記第１コードブックを確定し、第１ＣＱＩを示すための指示情報から第１ＣＱＩを確定することとを含むフィードバック情報受信方法。
【請求項９】
前記第１コードブックの指示情報は、
前記送信側によってチャネル測定結果に基づいて所定の第２コードブックから選択したプリコーディング行列である第２プリコーディング行列を示すための識別情報であり、
または、
所定のプリコーディング行列集合における前記第１コードブックのインデックス情報であり、
または、
所定のプリコーディング行列集合における前記送信側によって選択されたプリコーディング行列集合のインデックス情報、および、選択されたプリコーディング行列集合における前記送信側によって選択されたプリコーディング行列部分集合のインデックス情報を含む請求項８に記載の方法。
【請求項１０】
同一の構造行列から変換されたプリコーディング行列を含む第１コードブックを、チャネル測定結果に基づいて確定するための確定モジュールと、
前記第１コードブックの中の一部またはすべてのプリコーディング行列に基づいて、第１ＣＱＩを算出するための計算モジュールと、
前記第１コードブックを示すための第１指示情報と、前記第１ＣＱＩを示すための第２指示情報を、受信側に送信するための送信モジュールとを含むフィードバック情報送信装置。
【請求項１１】
前記計算モジュールは、具体的に、
前記第１コードブックからＲＥ毎に１つのプリコーディング行列を選択して前記ＲＥの第１プリコーディング行列とすること、第１サブバンド毎に、前記第１サブバンドに含まれるＲＥに対応する第１プリコーディング行列に基づいて、前記第１サブバンドに対応する第１ＣＱＩを算出するために用いられる請求項１０に記載の装置。
【請求項１２】
前記確定モジュールは、具体的に、
チャネル測定結果に基づいて、所定の第２コードブックから第２プリコーディング行列を選択すること、前記構造行列とする前記第２プリコーディング行列に基づいて前記第１コードブックを確定するために用いられ、ここで、前記第１指示情報は、前記第２プリコーディング行列を示すための識別情報である請求項１０に記載の装置。
【請求項１３】
前記確定モジュールは、具体的に、
前記第２プリコーディング行列の中の列ベクトルの列交換による行列から形成される集合を前記第１コードブックとして確定すること、および／または、前記第２プリコーディング行列と所定の行列集合の中の行列とのそれぞれの所定演算による行列から形成される集合を前記第１コードブックとして確定すること、および／または、前記第２プリコーディング行列を少なくとも２つの成分行列に分解し、前記少なくとも２つの成分行列のうちの少なくとも１つの成分行列と所定の行列集合の中の行列との所定演算による行列から形成される集合を前記第１コードブックとして確定するために用いられる請求項１２に記載の装置。
【請求項１４】
前記確定モジュールは、具体的に、
チャネル測定結果に基づいて、所定のプリコーディング行列集合から１つのプリコーディング行列集合を選択して前記第１コードブックとするために用いられ、
ここで、前記第１指示情報は、所定のプリコーディング行列集合における前記第１コードブックのインデックス情報である請求項１０に記載の装置。
【請求項１５】
前記確定モジュールは、具体的に、
チャネル測定結果に基づいて、所定のプリコーディング行列集合から１つのプリコーディング行列集合を選択することと、チャネル測定結果に基づいて、選択したプリコーディング行列集合から１つのプリコーディング行列部分集合を選択し、選択したプリコーディング行列部分集合を前記第１コードブックとして確定するために用いられ、
ここで、前記第１指示情報は、所定のプリコーディング行列集合における選択したプリコーディング行列集合のインデックス情報、および、選択したプリコーディング行列集合における選択したプリコーディング行列部分集合のインデックス情報を含む請求項１０に記載の装置。
【請求項１６】
前記計算モジュールは、さらに、チャネル測定結果に基づいて、前記第１コードブックから１つのプリコーディング行列を選択して第３プリコーディング行列とし、前記第３プリコーディング行列に基づいて、第２ＣＱＩを算出するために用いられ、
前記送信モジュールは、さらに、前記第３プリコーディング行列を識別するための識別情報と前記第２ＣＱＩを示すための情報を前記受信側に送信するために用いられる請求項１０〜１５のいずれか一項に記載の装置。
【請求項１７】
送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を受信するための受信モジュールと、
前記第１コードブックを示すための指示情報から前記第１コードブックを確定し、第１ＣＱＩを示すための指示情報から第１ＣＱＩを確定するための確定モジュールとを含むフィードバック情報受信装置。
【請求項１８】
前記第１コードブックの指示情報は、
前記送信側によってチャネル測定結果に基づいて所定の第２コードブックから選択したプリコーディング行列である第２プリコーディング行列を示すための識別情報であり、
または、
所定のプリコーディング行列集合における前記第１コードブックのインデックス情報であり、
または、
所定のプリコーディング行列集合における前記送信側によって選択されたプリコーディング行列集合のインデックス情報、および、選択されたプリコーディング行列集合における前記送信側によって選択されたプリコーディング行列部分集合のインデックス情報を含む請求項１７に記載の装置。
【請求項１９】
送信機と、
当該送信機に接続され、メモリからプログラムを読み取ることによって、
同一の構造行列から変換されたプリコーディング行列を含む第１コードブックを、チャネル測定結果に基づいて確定するプロセスと、
前記第１コードブックの中の一部またはすべてのプリコーディング行列に基づいて、第１ＣＱＩを算出するプロセスと、
前記第１コードブックを示すための第１指示情報と、前記第１ＣＱＩを示すための第２指示情報を、送信機によって受信側に送信するプロセスとを実行するために用いられる少なくとも１つのプロセッサを含むフィードバック情報送信装置。
【請求項２０】
受信機と、
当該受信機に接続され、メモリからプログラムを読み取ることによって、
受信機によって送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を受信するプロセスと、
前記第１コードブックを示すための指示情報から前記第１コードブックを確定し、第１ＣＱＩを示すための指示情報から第１ＣＱＩを確定するプロセスとを実行するために用いられる少なくとも１つのプロセッサを含むフィードバック情報受信装置。
【発明の詳細な説明】
【技術分野】
【０００１】
本願は、２０１６年３月１１日に中国特許庁に提出された中国特許出願２０１６１０１４０７８０．９の優先権を主張し、その全ての内容が援用によりここに取り込まれる。
【０００２】
本開示は、通信技術分野に係り、特にフィードバック情報伝送方法および装置に係る。
【背景技術】
【０００３】
ＬＴＥ（Ｌｏｎｇ  Ｔｅｒｍ  Ｅｖｏｌｕｔｉｏｎ）リリース８（Ｒｅｌ−８）システムにおいて、スペクトル効率向上のために、閉ループ型プリコーディング技術が導入されている。閉ループ型プリコーディング技術は、基地局と端末の両方に予め同一のプリコーディング行列の集合が保存されることが求められる。当該プリコーディング行列の集合は、コードブックと称される。端末は、セル固有の参照信号からチャネル情報を推定した後に、所定のルールに従ってコードブックから１つのプリコーディング行列を選択する。選択ルールは、相互情報量の最大化、出力信号対干渉雑音比の最大化などである。端末は、コードブックにおける選択したプリコーディング行列のインデックスを上りリンクチャネルによって基地局にフィードバックする。当該インデックスは、ＰＭＩ（Ｐｒｅｃｏｄｉｎｇ  Ｍａｔｒｉｘ  Ｉｎｄｉｃａｔｏｒ）と記される。基地局は、受信したＰＭＩに基づいて、当該端末に使用されるべきプリコーディング行列を確定することができる。
【０００４】
閉ループ型プリコーディング技術において、端末のフィードバックに頼って伝送パラメータが選択されるため、端末が高速に移動する場合、端末からフィードバックされるＰＭＩが失効する可能性があり、すなわち端末の現在のチャネル状態が反映されない。よって、伝送パラメータと実際のチャネル条件とは整合しなくなり、システム性能の悪化を招く。高速移動シーンに対応するために、ＬＴＥ  Ｒｅｌ−８において、開ループ型ＭＩＭＯ（Ｍｕｌｔｉｐｌｅ  Ｉｎｐｕｔ  Ｍｕｌｔｉｐｌｅ  Ｏｕｔｐｕｔ）伝送方式が導入されている。開ループ型ＭＩＭＯ伝送方式において、端末は、ＰＭＩのフィードバックを行わず、ＣＱＩ（Ｃｈａｎｎｅｌ  Ｑｕａｌｉｔｙ  Ｉｎｄｉｃａｔｏｒ）情報およびＲＩ（Ｒａｎｋ  Ｉｎｄｉｃａｔｉｏｎ）情報のみをフィードバックすればよい。ＣＱＩとＲＩの端末による計算は、データ伝送に係るリソースで所定のプリコーディング行列を使用すると仮定して行われる。
【０００５】
以上の記載をまとめると、開ループ型ＭＩＭＯ方式の場合、チャネルの変化に応じて伝送パラメータを適応的に調整することができず、ビームフォーミングゲインとプリコーディングゲインを取得することができない。一方、閉ループ型ＭＩＭＯプランの場合、端末の高速移動時に端末からのフィードバック情報が失効するため、伝送パラメータと実際のチャネル条件とは整合しなくなり、システム性能の悪化を招く。
【発明の概要】
【発明が解決しようとする課題】
【０００６】
従来技術において、開ループ型ＭＩＭＯプランの場合、チャネルの変化に応じて伝送パラメータを適応的に調整することができず、ビームフォーミングゲインとプリコーディングゲインを取得することができない。一方、閉ループ型ＭＩＭＯプランの場合、端末の高速移動時に端末からのフィードバック情報が失効するため、伝送パラメータと実際のチャネル条件とは整合しなくなり、システム性能の悪化を招く。本開示の実施例は、上記従来技術の問題を解決するためのフィードバック情報伝送方法および装置を提供する。
【課題を解決するための手段】
【０００７】
第１態様として、本開示の実施例は、同一の構造行列から変換されたプリコーディング行列を含む第１コードブックを、送信側がチャネル測定結果に基づいて確定することと、前記第１コードブックの中の一部またはすべてのプリコーディング行列に基づいて、前記送信側が第１ＣＱＩを算出することと、前記第１コードブックを示すための第１指示情報と、前記第１ＣＱＩを示すための第２指示情報を、前記送信側から受信側に送信することとを含むフィードバック情報送信方法を提供する。
【０００８】
１つの可能な実現形態において、前記第１コードブックの中の一部またはすべてのプリコーディング行列に基づいて、前記送信側が第１ＣＱＩを算出することは、前記送信側が前記第１コードブックからＲＥ毎に１つのプリコーディング行列を選択して前記ＲＥの第１プリコーディング行列とすることと、第１サブバンド毎に、前記送信側によって、前記第１サブバンドに含まれるＲＥの第１プリコーディング行列に基づいて、前記第１サブバンドに対応する第１ＣＱＩを算出することとを含む。
【０００９】
１つの可能な実現形態において、前記送信側がチャネル測定結果に基づいて第１コードブックを確定することは、チャネル測定結果に基づいて、前記送信側が所定の第２コードブックから第２プリコーディング行列を選択することと、前記送信側によって、前記構造行列とする前記第２プリコーディング行列に基づいて前記第１コードブックを確定することとを含み、ここで、前記第１指示情報は、前記第２プリコーディング行列を示すための識別情報である。
【００１０】
１つの可能な実現形態において、前記送信側が前記第２プリコーディング行列に基づいて前記第１コードブックを確定することは、前記送信側によって、前記第２プリコーディング行列の中の列ベクトルの列交換による行列から形成される集合を前記第１コードブックとして確定すること、および／または、前記送信側によって、前記第２プリコーディング行列と所定の行列集合の中の行列とのそれぞれの所定演算による行列から形成される集合を前記第１コードブックとして確定すること、および／または、前記送信側によって、前記第２プリコーディング行列を少なくとも２つの成分行列に分解し、前記少なくとも２つの成分行列のうちの少なくとも１つの成分行列と所定の行列集合の中の行列との所定演算による行列から形成される集合を前記第１コードブックとして確定することを含む。
【００１１】
１つの可能な実現形態において、前記送信側がチャネル測定結果に基づいて第１コードブックを確定することは、チャネル測定結果に基づいて、前記送信側が所定のプリコーディング行列集合から１つのプリコーディング行列集合を選択して前記第１コードブックとすることを含み、ここで、前記第１指示情報は、所定のプリコーディング行列集合における前記第１コードブックのインデックス情報である。
【００１２】
１つの可能な実現形態において、前記送信側がチャネル測定結果に基づいて第１コードブックを確定することは、チャネル測定結果に基づいて、前記送信側が所定のプリコーディング行列集合から１つのプリコーディング行列集合を選択することと、チャネル測定結果に基づいて、前記送信側によって、選択したプリコーディング行列集合から１つのプリコーディング行列部分集合を選択し、選択したプリコーディング行列部分集合を前記第１コードブックとして確定することとを含み、ここで、前記第１指示情報は、所定のプリコーディング行列集合における選択したプリコーディング行列集合のインデックス情報、および、選択したプリコーディング行列集合における選択したプリコーディング行列部分集合のインデックス情報を含む。
【００１３】
１つの可能な実現形態において、前記方法は、チャネル測定結果に基づいて、前記送信側が前記第１コードブックから１つのプリコーディング行列を選択して第３プリコーディング行列とすることと、前記第３プリコーディング行列に基づいて、前記送信側が第２ＣＱＩを算出することと、前記第３プリコーディング行列を識別するための識別情報と前記第２ＣＱＩを示すための情報を前記送信側から前記受信側に送信することとをさらに含む。
【００１４】
第２態様として、本開示の実施例は、送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を、受信側によって受信することと、前記受信側によって、前記第１コードブックを示すための指示情報から前記第１コードブックを確定し、第１ＣＱＩを示すための指示情報から第１ＣＱＩを確定することとを含むフィードバック情報受信方法を提供する。
【００１５】
１つの可能な実現形態において、前記第１コードブックの指示情報は、前記送信側によってチャネル測定結果に基づいて所定の第２コードブックから選択したプリコーディング行列である第２プリコーディング行列を示すための識別情報であり、または、所定のプリコーディング行列集合における前記第１コードブックのインデックス情報であり、または、所定のプリコーディング行列集合における前記送信側によって選択されたプリコーディング行列集合のインデックス情報、および、選択されたプリコーディング行列集合における前記送信側によって選択されたプリコーディング行列部分集合のインデックス情報を含む。
【００１６】
第３態様として、本開示の実施例は、同一の構造行列から変換されたプリコーディング行列を含む第１コードブックを、チャネル測定結果に基づいて確定するための確定モジュールと、前記第１コードブックの中の一部またはすべてのプリコーディング行列に基づいて、第１ＣＱＩを算出するための計算モジュールと、前記第１コードブックを示すための第１指示情報と、前記第１ＣＱＩを示すための第２指示情報を、受信側に送信するための送信モジュールとを含むフィードバック情報送信装置を提供する。
【００１７】
１つの可能な実現形態において、前記計算モジュールは、具体的に、前記第１コードブックからＲＥ毎に１つのプリコーディング行列を選択して前記ＲＥの第１プリコーディング行列とすること、第１サブバンド毎に、前記第１サブバンドに含まれるＲＥに対応する第１プリコーディング行列に基づいて、前記第１サブバンドに対応する第１ＣＱＩを算出するために用いられる。
【００１８】
１つの可能な実現形態において、前記確定モジュールは、具体的に、チャネル測定結果に基づいて、所定の第２コードブックから第２プリコーディング行列を選択すること、前記構造行列とする前記第２プリコーディング行列に基づいて前記第１コードブックを確定するために用いられ、ここで、前記第１指示情報は、前記第２プリコーディング行列を示すための識別情報である。
【００１９】
１つの可能な実現形態において、前記確定モジュールは、具体的に、前記第２プリコーディング行列の中の列ベクトルの列交換による行列から形成される集合を前記第１コードブックとして確定すること、および／または、前記第２プリコーディング行列と所定の行列集合の中の行列とのそれぞれの所定演算による行列から形成される集合を前記第１コードブックとして確定すること、および／または、前記第２プリコーディング行列を少なくとも２つの成分行列に分解し、前記少なくとも２つの成分行列のうちの少なくとも１つの成分行列と所定の行列集合の中の行列との所定演算による行列から形成される集合を前記第１コードブックとして確定するために用いられる。
【００２０】
１つの可能な実現形態において、前記確定モジュールは、具体的に、チャネル測定結果に基づいて、所定のプリコーディング行列集合から１つのプリコーディング行列集合を選択して前記第１コードブックとするために用いられ、ここで前記第１指示情報は、所定のプリコーディング行列集合における前記第１コードブックのインデックス情報である。
【００２１】
１つの可能な実現形態において、前記確定モジュールは、具体的に、チャネル測定結果に基づいて、所定のプリコーディング行列集合から１つのプリコーディング行列集合を選択することと、チャネル測定結果に基づいて、選択したプリコーディング行列集合から１つのプリコーディング行列部分集合を選択し、選択したプリコーディング行列部分集合を前記第１コードブックとして確定するために用いられ、ここで、前記第１指示情報は、所定のプリコーディング行列集合における選択したプリコーディング行列集合のインデックス情報、および、選択したプリコーディング行列集合における選択したプリコーディング行列部分集合のインデックス情報を含む。
【００２２】
１つの可能な実現形態において、前記計算モジュールは、さらに、チャネル測定結果に基づいて、前記第１コードブックから１つのプリコーディング行列を選択して第３プリコーディング行列とし、前記第３プリコーディング行列に基づいて、第２ＣＱＩを算出するために用いられる。前記送信モジュールは、さらに、前記第３プリコーディング行列を識別するための識別情報と前記第２ＣＱＩを示すための情報を前記受信側に送信するために用いられる。
【００２３】
第４態様として、本開示の実施例は、送信機と、当該送信機に接続され、メモリからプログラムを読み取ることによって、同一の構造行列から変換されたプリコーディング行列を含む第１コードブックを、チャネル測定結果に基づいて確定するプロセスと、前記第１コードブックの中の一部またはすべてのプリコーディング行列に基づいて、第１ＣＱＩを算出するプロセスと、前記第１コードブックを示すための第１指示情報と、前記第１ＣＱＩを示すための第２指示情報を、送信機によって受信側に送信するプロセスとを実行するために用いられる少なくとも１つのプロセッサを含む端末を提供する。
【００２４】
１つの可能な実現形態において、プロセッサは、具体的に、前記第１コードブックからＲＥ毎に１つのプリコーディング行列を選択して前記ＲＥの第１プリコーディング行列とすることと、第１サブバンド毎に、前記第１サブバンドに含まれるＲＥに対応する第１プリコーディング行列に基づいて、前記第１サブバンドに対応する第１ＣＱＩを算出することとを実行する。
【００２５】
１つの可能な実現形態において、プロセッサは、具体的に、チャネル測定結果に基づいて、所定の第２コードブックから第２プリコーディング行列を選択することと、前記構造行列とする前記第２プリコーディング行列に基づいて前記第１コードブックを確定することとを実行し、ここで、前記第１指示情報は、前記第２プリコーディング行列を示すための識別情報である。
【００２６】
１つの可能な実現形態において、プロセッサは、具体的に、前記第２プリコーディング行列の中の列ベクトルの列交換による行列から形成される集合を前記第１コードブックとして確定すること、および／または、前記第２プリコーディング行列と所定の行列集合の中の行列とのそれぞれの所定演算による行列から形成される集合を前記第１コードブックとして確定すること、および／または、前記第２プリコーディング行列を少なくとも２つの成分行列に分解し、前記少なくとも２つの成分行列のうちの少なくとも１つの成分行列と所定の行列集合の中の行列とのそれぞれの所定演算による行列から形成される集合を前記第１コードブックとして確定することを実行する。
【００２７】
１つの可能な実現形態において、プロセッサは、具体的に、チャネル測定結果に基づいて、所定のプリコーディング行列集合から１つのプリコーディング行列集合を選択して前記第１コードブックとすることを実行し、ここで、前記第１指示情報は、所定のプリコーディング行列集合における前記第１コードブックのインデックス情報である。
【００２８】
１つの可能な実現形態において、プロセッサは、具体的に、チャネル測定結果に基づいて、所定のプリコーディング行列集合から１つのプリコーディング行列集合を選択することと、チャネル測定結果に基づいて、選択したプリコーディング行列集合から１つのプリコーディング行列部分集合を選択し、選択したプリコーディング行列部分集合を前記第１コードブックとして確定することとを実行し、ここで、前記第１指示情報は、所定のプリコーディング行列集合における選択したプリコーディング行列集合のインデックス情報、および、選択したプリコーディング行列集合における選択したプリコーディング行列部分集合のインデックス情報を含む。
【００２９】
１つの可能な実現形態において、プロセッサは、さらに、チャネル測定結果に基づいて、前記第１コードブックから１つのプリコーディング行列を選択して第３プリコーディング行列とすることと、前記第３プリコーディング行列に基づいて、第２ＣＱＩを算出することと、前記第３プリコーディング行列を識別するための識別情報と前記第２ＣＱＩを示すための情報を送信機によって前記受信側に送信することとを実行する。
【００３０】
第５態様として、本開示の実施例は、送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を受信するための受信モジュールと、前記第１コードブックを示すための指示情報から前記第１コードブックを確定し、第１ＣＱＩを示すための指示情報から第１ＣＱＩを確定するための確定モジュールとを含むフィードバック情報受信装置を提供する。
【００３１】
ここで、前記第１コードブックの指示情報の具体的な実現形式は、第１態様における関連記載を参照されたく、ここでは繰り返して記載しない。
【００３２】
第６態様として、本開示の実施例は、受信機と、当該受信機に接続され、メモリからプログラムを読み取ることによって、送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を受信機によって受信するプロセスと、前記第１コードブックを示すための指示情報から前記第１コードブックを確定し、第１ＣＱＩを示すための指示情報から第１ＣＱＩを確定するプロセスとを実行するために用いられる少なくとも１つのプロセッサを含む基地局を提供する。
【００３３】
ここで、前記第１コードブックの指示情報の具体的な実現形式は、第１態様における関連記載を参照されたく、ここでは繰り返して記載しない。
【００３４】
第７態様として、本開示の実施例は、送信機と、当該送信機に接続され、メモリからプログラムを読み取ることによって、同一の構造行列から変換されたプリコーディング行列を含む第１コードブックを、チャネル測定結果に基づいて確定するプロセスと、前記第１コードブックの中の一部またはすべてのプリコーディング行列に基づいて、第１ＣＱＩを算出するプロセスと、前記第１コードブックを示すための第１指示情報と、前記第１ＣＱＩを示すための第２指示情報を、送信機によって受信側に送信するプロセスとを実行するために用いられる少なくとも１つのプロセッサを含むフィードバック情報送信装置を提供する。
【００３５】
第８態様として、本開示の実施例は、受信機と、当該受信機に接続され、メモリからプログラムを読み取ることによって、送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を受信機によって受信するプロセスと、前記第１コードブックを示すための指示情報から前記第１コードブックを確定し、第１ＣＱＩを示すための指示情報から第１ＣＱＩを確定するプロセスとを実行するために用いられる少なくとも１つのプロセッサを含むフィードバック情報受信装置を提供する。
発明の効果
【００３６】
本開示の実施例による方法および装置において、送信側は、チャネル測定結果に基づいて第１コードブックを確定し、確定した第１コードブックをチャネルに関連させ、すなわち閉ループ型プリコーディング技術を採用する。そこで、受信側は、データ伝送の際に、チャネルの変化に応じて伝送パラメータを適応的に調整してビームフォーミングゲインとプリコーディングゲインを取得することができる。送信側は、前記第１コードブックの中の一部またはすべてのプリコーディング行列に基づいて第１ＣＱＩを算出して受信側にフィードバックし、すなわち開ループ型プリコーディング技術を採用する。よって、端末が高速に移動するシーンでデータ伝送が行われる場合、取得したチャネル状態情報と実際のチャネル状況とは整合しなくシステム性能を低下させる問題を回避する。本開示の実施例において閉ループ型プリコーディング技術と開ループ型プリコーディング技術の両方を用いることによって、システム性能を向上させる。また、本開示の実施例に用いられる第１コードブックに含まれるプリコーディング行列が同一の構造行列から変換されて得られるため、第１コードブックの中の各プリコーディング行列で形成されるビームの指向性がほぼ同一であり、さらにビームフォーミングゲインを取得してシステム性能を向上させることができる。
【図面の簡単な説明】
【００３７】
本開示の実施例の技術手段をより明確に説明するために、以下、実施例の記載に必要とされる図面を簡単に紹介する。明らかに、以下の記載に関する図面は、単に本願に記載される実施例の一部である。当業者にとって、創造性のある作業をしない前提で、これらの図面から他の図面を得ることもできる。以下の図面は、本願の主旨を示すことに重点が置かれており、入念に実際のサイズに従って等比例に拡大または縮小して作製されたものではない。
【００３８】
【図１】本開示の一部の実施例によるフィードバック情報送信方法を示す。
【図２】本開示の一部の実施例によるフィードバック情報受信方法を示す。
【図３】本開示の一部の実施例によるフィードバック情報送信装置を示す。
【図４】本開示の一部の実施例による端末を示す。
【図５】本開示の一部の実施例によるフィードバック情報受信装置を示す。
【図６】本開示の一部の実施例による基地局を示す。
【発明を実施するための形態】
【００３９】
本開示の実施例の目的、技術手段及び利点をより明確にするために、以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに為しえるほかの実施例のすべては、いずれも本開示の保護範囲に属するものである。
【００４０】
本開示の一部の実施例において、フィードバック情報送信方法が提供されている。図１に示されているように、前記方法は、同一の構造行列から変換されたプリコーディング行列を含む第１コードブックを、送信側がチャネル測定結果に基づいて確定するＳ１１と、前記第１コードブックの中の一部またはすべてのプリコーディング行列に基づいて、前記送信側が第１ＣＱＩを算出するＳ１２と、前記第１コードブックを示すための第１指示情報と、前記第１ＣＱＩを示すための第２指示情報を、前記送信側から受信側に送信するＳ１３とを含む。
【００４１】
本ステップにおいて、第１指示情報と第２指示情報の送信順は、限定されない。具体的に、第１指示情報と第２指示情報は、ステップＳ１２の後に同時に送信されてもよく、ステップＳ１１で第１コードブックの確定後に第１指示情報をまず送信し、それからステップＳ１２で第１ＣＱＩの算出後に第２指示情報を送信するのもよい。
【００４２】
本開示の実施例において、送信側は、チャネル測定結果に基づいて第１コードブックを確定し、確定した第１コードブックをチャネルに関連させ、すなわち閉ループ型プリコーディング技術を採用する。そこで、受信側は、データ伝送の際に、チャネルの変化に応じて伝送パラメータを適応的に調整してビームフォーミングゲインとプリコーディングゲインを取得することができる。送信側は、前記第１コードブックの中の一部またはすべてのプリコーディング行列に基づいて第１ＣＱＩを算出して受信側にフィードバックし、すなわち開ループ型プリコーディング技術を採用する。よって、端末が高速に移動するシーンでデータ伝送が行われる場合、取得したチャネル状態情報と実際のチャネル状況とは整合しなくシステム性能を低下させる問題を回避する。本開示の実施例において閉ループ型プリコーディング技術と開ループ型プリコーディング技術の両方を用いることによって、システム性能を向上させる。また、本開示の実施例に用いられる第１コードブックに含まれるプリコーディング行列が同一の構造行列から変換されて得られるため、第１コードブックの中の各プリコーディング行列で形成されるビームの指向性がほぼ同一であり、さらにビームフォーミングゲインを取得してシステム性能を向上させることができる。
【００４３】
本開示の実施例において、前記送信側がチャネル測定結果に基づいて第１コードブックを確定することは、以下の２つの可能な実現方式を含む。
【００４４】
方式１：具体的に、前記送信側は、チャネル測定結果に基づいて、所定の第２コードブックから第２プリコーディング行列を選択する。前記送信側は、前記構造行列とする前記第２プリコーディング行列に基づいて前記第１コードブックを確定する。
【００４５】
ここで、第２コードブックは、所定のものであって送信側と受信側にそれぞれ保存される。または、送信側は、第２コードブックを確定してシグナリングによって第２コードブックを受信側に通知する。または、受信側は、第２コードブックを確定してシグナリングによって第２コードブックを送信側に通知する。
【００４６】
当該方式において、前記第１コードブックの指示情報は、前記第２プリコーディング行列を示すための識別情報である。
【００４７】
当該方式において、送信側は、まずチャネル測定によるＲＩ（Ｒａｎｋ  Ｉｎｄｉｃａｔｏｒ）情報に基づいて第２プリコーディング行列の次元を確定し、確定した次元に基づいて、確定した次元と同一次元のプリコーディング行列を含む第２コードブックを選択し、最後に、選択した第２コードブックからプリコーディング行列を選択して前記第２プリコーディング行列とする。
【００４８】
具体的に、送信側は、チャネル測定によるＲＩに基づいて第２プリコーディング行列の次元を確定する際に、第２プリコーディング行列が列ベクトルであれば、ＲＩと第２プリコーディング行列の長さとのマッピング関係に基づいて、第２プリコーディング行列の長さを確定する。
【００４９】
例えば、第２プリコーディング行列がベクトルであれば、ＲＩと第２プリコーディング行列の長さとのマッピング関係の１つの可能な実現形式は、表１に示されている。
【００５０】
【表１】
2019512935.tif 000003
【００５１】
表１において、Ｍは、ＣＳＩ−ＲＳのアンテナポート数を示し、Ｍ＝８、１６、３２、６４の場合に適用する。
【００５２】
第２プリコーディング行列がブロック対角行列であれば、送信側は、第２プリコーディング行列の行数がＣＳＩ−ＲＳのアンテナポート数であると確定し、ＲＩと第２プリコーディング行列の列数とのマッピング関係に基づいて、第２プリコーディング行列の列数を確定する。
【００５３】
例えば、第２プリコーディング行列が対角行列であり、例えば
【数１】
2019512935.tif 000004
の場合、ＲＩと第２プリコーディング行列の列数とのマッピング関係の１つの可能な実現形式は、表２に示されている。
【００５４】
【表２】
2019512935.tif 000005
【００５５】
ここで、Ｘ１，Ｘ２，Ｘ３，…，Ｘｃは、長さＭ／Ｃの列ベクトルであってもよく、行数Ｍ／Ｃ、列数Ｎｂの行列であってもよい。Ｍは、ＣＳＩ−ＲＳのアンテナポート数を示す。
【００５６】
さらに、選択した第２コードブックからプリコーディング行列を選択して前記第２プリコーディング行列とする際に、送信側において第２プリコーディング行列を第２サブバンド内のすべてのＲＥ（Ｒｅｓｏｕｒｃｅ  Ｅｌｅｍｅｎｔ）に応用すると仮定すると、送信側によって選択した第２プリコーディング行列は、第２コードブックの中のすべてのプリコーディング行列のうち、第１サブバンドとのチャネル測定整合度が最も高いプリコーディング行列である。
【００５７】
具体的に、送信側は、第２コードブックのうち、第１サブバンド内のＲＥのチャネル行列との平均距離が最も小さいプリコーディング行列を第２プリコーディング行列として確定する。または、送信側は、受信側が第２コードブックの中の各プリコーディング行列を用いてデータ伝送を行う際にサポートできるデータ量を確定し、サポートできるデータ量の最大値に対応するプリコーディング行列を第２プリコーディング行列として確定する。
【００５８】
例と挙げて説明すると、送信側が推定した第１サブバンド内の第ｋ個のＲＥのチャネル行列をＨｋとし、ＨｋがＮｒ×Ｍ列の行列である。Ｈｋ［ｉ，ｊ］は、Ｈｋの中の第ｉ行、第ｊ列の元素を示し、すなわち受信側の第ｊ本のアンテナから送信側の第ｉ本アンテナまでの多重伝搬路係数である。Ｈｋ［ｍ１，ｍ２］は、Ｈｋの第ｍ１列から第ｍ２列まで構成される行列である。すると、第２プリコーディング行列は、下記式によって算出される。
【数２】
2019512935.tif 000006
【００５９】
ここで、ｃ＝１，…，Ｃ、かつＬＣ＝Ｍである。Ｓは、第１サブバンド内のＲＥから形成される集合を示す。Ｂは、第２コードブックである。
【００６０】
当該方式において、周期的なフィードバックに対し、前記送信側は、周期毎にチャネルチャネル測定結果に基づいて、所定の第２コードブックから第２プリコーディング行列を選択する。前記送信側は、前記構造行列とする前記第２プリコーディング行列に基づいて前記第１コードブックを確定する。
【００６１】
当該方式において、第２サブバンドは、第１サブバンドとは同一であるか、少なくとも２つの第１サブバンドを含む。第２サブバンドに少なくとも２つの第１サブバンドを含む場合、前記送信側は、第１プリコーディング行列の確定時に、第２サブバンドに含まれる第１サブバンド毎に、当該第１サブバンド内の各リソースの第１プリコーディング行列をそれぞれ確定する。
【００６２】
当該方式において、前記送信側が前記第２プリコーディング行列に基づいて前記第１コードブックを確定することは、以下３種類の可能な実現方式を含む。
【００６３】
方式ａ：前記送信側は、前記第２プリコーディング行列の中の列ベクトルの列交換による行列から形成される集合を前記第１コードブックとして確定する。
【００６４】
具体的に、第２プリコーディング行列に対し、異なる列交換方式によって複数の行列を得ることができ、得られた複数の行列から形成される集合を第１コードブックとして確定する。
【００６５】
例えば、第２プリコーディング行列の中の任意１列と他の列との列交換によって複数の行列を得ることができる。また例えば、第２プリコーディング行列の中の任意２列や、任意３列などを他の列と列交換を行うことによって複数の行列を得ることができる。もちろん、上述した方式の組み合わせを採用してもよい。例えば、第２プリコーディング行列の中の任意１列と他の列との列交換によって複数の行列を得ることができ、第２プリコーディング行列の中の任意２列と他の列との列交換によって複数の行列を得ることができ、得られたすべての行列から形成される集合を第１コードブックとして確定する。
【００６６】
方式ｂ：具体的に、送信側は、前記第２プリコーディング行列と所定の行列集合の中の行列とのそれぞれの所定演算による行列から形成される集合を前記第１コードブックとして確定する。
【００６７】
例えば、第１コードブックの中のプリコーディング行列は、Ｗｎ＝ＧＺｎまたは
【数３】
2019512935.tif 000007
と示すことができる。ここで、ｎ＝１，２，…，Ｎである。Ｇは、第２プリコーディング行列を示す。Ｚｎは、所定の行列集合の中の任意の行列を示す。
【００６８】
方式ｃ：具体的に、送信側は、前記第２プリコーディング行列を少なくとも２つの成分行列に分解し、前記少なくとも２つの成分行列のうちの少なくとも１つの成分行列と所定の行列集合の中の行列とのそれぞれの所定演算による行列から形成される集合を前記第１コードブックとして確定する。
【００６９】
例えば、第２プリコーディング行列は、Ｇ＝ＵＶに分解することができる。すると、第１コードブックの中のプリコーディング行列は、Ｗｎ＝ＶＺｎまたはＷｎ＝ＵＺｎと示すことができる。ここで、ｎ＝１，２，…，Ｎである。Ｚｎは、所定の行列集合の中の任意の行列を示す。
【００７０】
また例えば、第２プリコーディング行列は、
【数４】
2019512935.tif 000008
に分解することができる。すると、第１コードブックの中のプリコーディング行列は、
【数５】
2019512935.tif 000009
と示すことができる。ここで、ｎ＝１，２，…，Ｎである。Ｚｎは、所定の行列集合の中の任意の行列を示す。
【００７１】
もちろん、第１コードブックの確定時に上述３種類の方式の組み合わせを採用してもよい。例えば、まず方式ｂにしたがって１つの行列集合を取得してから、方式ａを採用して当該集合の中の各行列の列交換を行う。方式ｂで得た行列集合の中の行列と、列交換後に形成されるすべての行列によって第１コードブックを構成する。本開示の実施例において、第１コードブックの確定にあたって上述３種類の方式に限定されず、他の方式を採用してもよい。
【００７２】
方式２：具体的に、前記送信側は、チャネル測定結果に基づいて、所定のプリコーディング行列集合から１つのプリコーディング行列集合を選択して前記第１コードブックとする。
【００７３】
当該方式において、前記第１指示情報は、所定のプリコーディング行列集合における前記第１コードブックのインデックス情報である。
【００７４】
方式３：具体的に、前記送信側は、チャネル測定結果に基づいて、所定のプリコーディング行列集合から１つのプリコーディング行列集合を選択する。前記送信側は、チャネル測定結果に基づいて、選択したプリコーディング行列集合から１つのプリコーディング行列部分集合を選択し、選択したプリコーディング行列部分集合を前記第１コードブックとして確定する。
【００７５】
当該方式において、前記第１第１コードブックの指示情報は、所定のプリコーディング行列集合における選択したプリコーディング行列集合のインデックス情報、および選択したプリコーディング行列集合における選択したプリコーディング行列部分集合のインデックス情報を含む。
【００７６】
当該方式において、プリコーディング行列集合の選択およびプリコーディング行列部分集合の選択は、同一のチャネル測定結果に基づいてもよく、異なるチャネル測定結果に基づいてもよい。例えば、プリコーディング行列集合の選択およびプリコーディング行列部分集合の選択は、チャネル測定結果に基づいて行われるが、そのチャネル測定結果は、異なる時間または異なる帯域幅に対しチャネル測定を行った結果である。
【００７７】
上述したいずれの実施例に基づいて、前記第１コードブックの中の一部またはすべてのプリコーディング行列に基づいて、送信側が第１ＣＱＩを算出することは、前記送信側が前記第１コードブックからＲＥ毎に１つのプリコーディング行列を選択して前記ＲＥの第１プリコーディング行列とすることと、第１サブバンド毎に、前記送信側によって、前記第１サブバンドに含まれるＲＥに対応する第１プリコーディング行列に基づいて、前記第１サブバンドに対応する第１ＣＱＩを算出することとを含む。
【００７８】
具体的に、端末は、一定のルールにしたがって各ＲＥの第１プリコーディング行列を確定する。ここで、異なるＲＥに対応する第１プリコーディング行列は、異なってもよい。それから、第１サブバンド毎に、端末は、基地局が確定済みの第１プリコーディング行列を用いて当該第１サブバンド内の各ＲＥで端末にデータを伝送すると仮定してチャネル品質情報、すなわち第１ＣＱＩを計算する。
【００７９】
例を挙げて説明すると、送信側は、前記第１コードブックからＲＥ毎に第１プリコーディング行列を選択する際に、当該第１サブバンドに含まれるＲＥの番号に基づいて、選択した第１コードブックから、１つのプリコーディング行列を選択して前記第１プリコーディング行列とする。例えば、第１コードブックにＮ個のプリコーディング行列（番号がそれぞれ０，１，…，Ｎ−１である。）が含まれ、第１サブバンド内にＫ個のＲＥ（番号がそれぞれ０，１，…，Ｋ−１である。）を有するとすると、第ｋ個のＲＥの第１プリコーディング行列は、第１コードブックのうち番号ｎ＝ｋ  ｍｏｄ  Ｎのプリコーディング行列になる。ここで、ｍｏｄは、モジュロ演算である。また例えば、第ｋ個のＲＥの第１プリコーディング行列は、第１コードブックのうち番号ｎ＝ｃｅｉｌ（ｋ／ｖ）  ｍｏｄ  Ｎのプリコーディング行列になる。ここで、ｃｅｉｌ（ｋ／ｖ）は、ｋ／ｖ以上の最小整数を示し、ｖが正整数である。選択可能に、ｖの値は、データストリームのレイヤ数、または前記送信側のアンテナポートの数、または１つのリソースブロックに含まれるＲＥ数を取る。
【００８０】
ここで、リソースブロックは、ＬＴＥシステムのＰＲＢ（Ｐｈｙｓｉｃａｌ  Ｒｅｓｏｕｒｃｅ  Ｂｌｏｃｋ）であり、またはサブバンド（Ｓｕｂｂａｎｄ）であり、または１つのＰＲＢの一部であるが、他の区分形式であってもよい。
【００８１】
なお、周期的なフィードバックの場合、第１ＣＱＩは、端末が最近回で確定した第２プリコーディング行列から形成される第１コードブックに基づいて算出される。
【００８２】
上述いずれの実施例に基づいて、１つの選択可能な実現方式において、前記方法は、チャネル測定結果に基づいて、前記送信側が前記第１コードブックから１つのプリコーディング行列を選択して第３プリコーディング行列とすることと、前記第３プリコーディング行列に基づいて、前記送信側が第２ＣＱＩを算出することと、前記第３プリコーディング行列を識別するための識別情報と前記第２ＣＱＩを示すための情報を前記送信側から前記受信側に送信することとをさらに含む。
【００８３】
具体的に、前記送信側がチャネル測定結果に基づいて前記第１コードブックから選択した第３プリコーディング行列は、１つのサブバンド内のすべてのリソースに対するものである。すなわち、１つのサブバンド内のすべてのリソースは、同一の第３プリコーディング行列に対応する。
【００８４】
選択可能に、前記第３プリコーディング行列を識別するための識別情報は、前記第１コードブックにおける前記第３プリコーディング行列のインデックス情報である。
【００８５】
送信側（端末）から第１ＣＱＩと第２ＣＱＩがレポートされるため、受信側（基地局）は、データ伝送を行う際に、第１ＣＱＩまたは第２ＣＱＩに基づいて伝送パラメータを柔軟に選択することができる。例えば、仮に、送信側は、第１ＣＱＩのレポート後に第２ＣＱＩをレポートする。受信側は、第２ＣＱＩを受信すると、送信側とデータ伝送を行う場合、第２ＣＱＩに基づいて伝送パラメータを選択する。受信側は、第２ＣＱＩの受信後に長時間を経て送信側とデータ伝送を行う場合、第１ＣＱＩに基づいて伝送パラメータを選択する。
【００８６】
選択可能に、前記第２ＣＱＩを示すための情報は、前記第２ＣＱＩであってもよく、前記第２ＣＱＩと前記第１ＣＱＩとの差であってもよい。
【００８７】
対応して、第１指示情報は、前記第１ＣＱＩであってもよく、前記第１ＣＱＩと前記第２ＣＱＩとの差であってもよい。
【００８８】
以下、上記方式３を例として、形成される第１コードブックを例示する。
【００８９】
１．ＲＩ＝２の一部の実施例において、各所定のプリコーディング行列集合（第２ＰＭＩ  ｉ２で示す。）に複数のプリコーディング行列部分集合（第１ＰＭＩ  ｉ１で示す。）を含み、各プリコーディング行列部分集合に２つのプリコーディング行列を含む。第１ＰＭＩ  ｉ１と第２ＰＭＩ  ｉ２に対応するプリコーディング行列部分集合の構造行列の１つの可能な実現方式は、
【数６】
2019512935.tif 000010
である。
【数７】
2019512935.tif 000011
（ｎ＝０，１）と定義すると、第１ＰＭＩ  ｉ１と第２ＰＭＩ  ｉ２に対応するプリコーディング行列部分集合の中の行列は、ＧＺ０とＧＺ１を含む（ここでパワー正規化因子を省略した）。すると、Ｇに基づいて形成される第１コードブックの１つの可能な実現形式は、表３に示されている。
【００９０】
【表３】
2019512935.tif 000012
【００９１】
表３において、列ベクトルνｍの長さは、４であり、対応するＣＳＩ−ＲＳポート数は、８である。ＣＳＩ−ＲＳポート数の差異および第１コードブックの形式の差異に応じて、ベクトルνｍの長さは、他の値を取ることができる。
【００９２】
２．ＲＩ＝２の一部の実施例において、各所定のプリコーディング行列集合に複数のプリコーディング行列部分集合を含み、各プリコーディング行列部分集合に２つのプリコーディング行列を含む。プリコーディング行列部分集合は、第１ＰＭＩ  ｉ１で示される。第１ＰＭＩ  ｉ１に対応するプリコーディング行列部分集合の構造行列の１つの可能な実現方式は、
【数８】
2019512935.tif 000013
である。
【数９】
2019512935.tif 000014
（ｎ＝０，１）と定義すると、第１ＰＭＩ  ｉ１に対応するプリコーディング行列部分集合のプリコーディング行列は、ＧＺ０とＧＺ１を含む（ここではパワー正規化因子を省略した）。すると、Ｇに基づいて形成される第１コードブックの１つの可能な実現形式は、表４に示されている。
【００９３】
【表４】
2019512935.tif 000015
【００９４】
３．ＲＩ＝２の一部の実施例において、各所定のプリコーディング行列集合（第２ＰＭＩ  ｉ２で示す。）に複数のプリコーディング行列部分集合（第１ＰＭＩ  ｉ１で示す。）を含み、各プリコーディング行列部分集合に２つのプリコーディング行列を含む。第１ＰＭＩ  ｉ１と第２ＰＭＩ  ｉ２に対応するプリコーディング行列部分集合の構造行列の１つの可能な実現方式は、
【数１０】
2019512935.tif 000016
である。
【数１１】
2019512935.tif 000017
（ｎ＝０，１）と定義すると、第１ＰＭＩ  ｉ１と第２ＰＭＩ  ｉ２に対応するプリコーディング行列部分集合の中の行列は、ＧＺ０とＧＺ１を含む（ここではパワー正規化因子を省略した）。すると、Ｇに基づいて形成される第１コードブックの１つの可能な実現形式は、表５に示されている。
【００９５】
【表５】
2019512935.tif 000018
【００９６】
４．ＲＩ＝４の一部の実施例において、各所定のプリコーディング行列集合（第２ＰＭＩ  ｉ２で示す。）に複数のプリコーディング行列部分集合（第１ＰＭＩ  ｉ１で示す。）を含み、各プリコーディング行列部分集合に２つのプリコーディング行列を含む。第１ＰＭＩ  ｉ１と第２ＰＭＩ  ｉ２に対応するプリコーディング行列部分集合の構造行列の１つの可能な実現方式は、
【数１２】
2019512935.tif 000019
（列ベクトル）である。第１ＰＭＩ  ｉ１と第２ＰＭＩ  ｉ２に対応するプリコーディング行列部分集合の中のプリコーディング行列は、
【数１３】
2019512935.tif 000020
を含む（ここではパワー正規化因子を省略した）。すると、Ｇに基づいて形成される第１コードブックの１つの可能な実現形式は、表６に示されている。
【００９７】
【表６】
2019512935.tif 000021
【００９８】
表６において、Ｚｎは、下記のように所定のプリコーディング行列集合から取られる。
【表７】
2019512935.tif 000022
【００９９】
５．ＲＩ＝４の一部の実施例において、各所定のプリコーディング行列集合（第２ＰＭＩ  ｉ２で示す。）に複数のプリコーディング行列部分集合（第１ＰＭＩ  ｉ１で示す。）を含み、各プリコーディング行列部分集合に２つのプリコーディング行列を含む。第１ＰＭＩ  ｉ１と第２ＰＭＩ  ｉ２に対応するプリコーディング行列部分集合の構造行列の１つの可能な実現方式は、
【数１４】
2019512935.tif 000023
である。
【数１５】
2019512935.tif 000024
（ｎ＝０，１；ｎ´＝０，１）と定義すると、第１ＰＭＩ  ｉ１と第２ＰＭＩ  ｉ２に対応するプリコーディング行列部分集合の中の行列は、ＧＺ０，０とＧＺ１，１を含む（ここではパワー正規化因子を省略した）。すると、Ｇに基づいて形成される第１コードブックの１つの可能な実現形式は、表７に示されている。
【０１００】
【表８】
2019512935.tif 000025
【０１０１】
６．ＲＩ＝４の一部の実施例において、各所定のプリコーディング行列集合（第２ＰＭＩ  ｉ２で示す。）に複数のプリコーディング行列部分集合（第１ＰＭＩ  ｉ１で示す。）を含み、各プリコーディング行列部分集合に２つのプリコーディング行列を含む。第１ＰＭＩ  ｉ１と第２ＰＭＩ  ｉ２に対応するプリコーディング行列部分集合の構造行列の１つの可能な実現方式は、
【数１６】
2019512935.tif 000026
（列ベクトル）である。第１ＰＭＩ  ｉ１と第２ＰＭＩ  ｉ２に対応するプリコーディング行列部分集合の中のプリコーディング行列は、
【数１７】
2019512935.tif 000027
を含む（ここではパワー正規化因子を省略した）。すると、Ｇに基づいて形成される第１コードブックの１つの可能な実現形式は、表８に示されている。
【０１０２】
【表９】
2019512935.tif 000028
【０１０３】
表８において、Ｚｎは、下記のように所定の行列集合から取られる。
【表１０】
2019512935.tif 000029
【０１０４】
同一の発明思想に基づいて、本開示の一部の実施例において、フィードバック情報受信方法が提供されている。図２に示されているように、前記方法は、送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を、受信側によって受信するＳ２１と、前記受信側によって、前記第１コードブックを示すための指示情報から前記第１コードブックを確定し、第１ＣＱＩを示すための指示情報から第１ＣＱＩを確定するＳ２２とを含む。
【０１０５】
本開示の実施例において、前記第１コードブックの指示情報の具体的な実現形式は、図１に示されている実施例における関連記載を参照されたく、ここでは繰り返して記載しない。
【０１０６】
上記方法の処理フローは、記憶媒体に記憶可能なソフトウェアプログラムによって実現されることができる。記憶されているソフトウェアプログラムが呼び出されると、上記方法のステップを実行する。
【０１０７】
同一の発明思想に基づいて、本開示の一部の実施例において、フィードバック情報送信装置が提供されている。図３に示されているように、前記装置は、同一の構造行列から変換されたプリコーディング行列を含む第１コードブックを、チャネル測定結果に基づいて確定するための確定モジュール３１と、前記第１コードブックの中の一部またはすべてのプリコーディング行列に基づいて、第１ＣＱＩを算出するための計算モジュール３２と、前記第１コードブックを示すための第１指示情報と、前記第１ＣＱＩを示すための第２指示情報を、前記受信側に送信するための送信モジュール３３とを含む。
【０１０８】
１つの可能な実現形態において、前記計算モジュール３２は、具体的に、前記第１コードブックからＲＥ毎に１つのプリコーディング行列を選択して前記ＲＥの第１プリコーディング行列とすること、第１サブバンド毎に、前記第１サブバンドに含まれるＲＥに対応する第１プリコーディング行列に基づいて、前記第１サブバンドに対応する第１ＣＱＩを算出するために用いられる。
【０１０９】
１つの可能な実現形態において、前記確定モジュール３１は、具体的に、チャネル測定結果に基づいて、所定の第２コードブックから第２プリコーディング行列を選択すること、前記構造行列とする前記第２プリコーディング行列に基づいて前記第１コードブックを確定するために用いられ、ここで、前記第１指示情報は、前記第２プリコーディング行列を示すための識別情報である。
【０１１０】
１つの可能な実現形態において、前記確定モジュール３１は、具体的に、前記第２プリコーディング行列の中の列ベクトルの列交換による行列から形成される集合を前記第１コードブックとして確定すること、および／または、前記第２プリコーディング行列と所定の行列集合の中の行列とのそれぞれの所定演算による行列から形成される集合を前記第１コードブックとして確定すること、および／または、前記第２プリコーディング行列を少なくとも２つの成分行列に分解し、前記少なくとも２つの成分行列のうちの少なくとも１つの成分行列と所定の行列集合の中の行列とのそれぞれの所定演算による行列から形成される集合を前記第１コードブックとして確定するために用いられる。
【０１１１】
１つの可能な実現形態において、前記確定モジュール３１は、具体的に、チャネル測定結果に基づいて、所定のプリコーディング行列集合から１つのプリコーディング行列集合を選択して前記第１コードブックとするために用いられ、ここで、前記第１指示情報は、所定のプリコーディング行列集合における前記第１コードブックのインデックス情報である。
【０１１２】
１つの可能な実現形態において、前記確定モジュール３１は、具体的に、チャネル測定結果に基づいて、所定のプリコーディング行列集合から１つのプリコーディング行列集合を選択することと、チャネル測定結果に基づいて、選択したプリコーディング行列集合から１つのプリコーディング行列部分集合を選択し、選択したプリコーディング行列部分集合を前記第１コードブックとして確定するために用いられ、ここで、前記第１指示情報は、所定のプリコーディング行列集合における選択したプリコーディング行列集合のインデックス情報、および、選択したプリコーディング行列集合における選択したプリコーディング行列部分集合のインデックス情報を含む。
【０１１３】
１つの可能な実現形態において、前記計算モジュール３２は、さらに、チャネル測定結果に基づいて、前記第１コードブックから１つのプリコーディング行列を選択して第３プリコーディング行列とし、前記第３プリコーディング行列に基づいて、第２ＣＱＩを算出するために用いられ、前記送信モジュール３３は、さらに、前記第３プリコーディング行列を識別するための識別情報と前記第２ＣＱＩを示すための情報を前記受信側に送信するために用いられる。
【０１１４】
同一の発明思想に基づいて、本開示の一部の実施例において、送信装置が端末であることを例として、端末が提供されている。図４に示されているように、前記端末は、送信機４１と、当該送信機４１に接続され、メモリ４３からプログラムを読み取ることによって、同一の構造行列から変換されたプリコーディング行列を含む第１コードブックを、チャネル測定結果に基づいて確定するプロセスと、前記第１コードブックの中の一部またはすべてのプリコーディング行列に基づいて、第１ＣＱＩを算出するプロセスと、前記第１コードブックを示すための第１指示情報と、前記第１ＣＱＩを示すための第２指示情報を、送信機４１によって前記受信側に送信するプロセスとを実行するために用いられる少なくとも１つのプロセッサ４２を含む。
【０１１５】
ここで、図４において、バスアーキテクチャは、任意数の相互接続するバスとブリッジを含み、具体的に、プロセッサ４２をはじめとする１つ又は複数のプロセッサとメモリ４３をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。送信機４１は、伝送媒体でほかの各種類の装置と通信するユニットとして提供される。ユーザ端末によっては、ユーザインタフェース４４は、内部接続や外部接続する機器のインタフェースであってもよい。接続する機器は、キーパッド、ディスプレイ、スピーカ、マイクロフォン、ジョイスティックなどを含むが、それらに限られない。
【０１１６】
プロセッサ４２は、バスアーキテクチャと通常の処理を管理する。メモリ４３は、プロセッサ４２による作業時に使用されるデータを記憶できる。
【０１１７】
１つの可能な実現形態において、プロセッサ４２は、具体的に、前記第１コードブックからＲＥ毎に１つのプリコーディング行列を選択して前記ＲＥの第１プリコーディング行列とすることと、第１サブバンド毎に、前記第１サブバンドに含まれるＲＥに対応する第１プリコーディング行列に基づいて、前記第１サブバンドに対応する第１ＣＱＩを算出することとを実行する。
【０１１８】
１つの可能な実現形態において、プロセッサ４２は、具体的に、チャネル測定結果に基づいて、所定の第２コードブックから第２プリコーディング行列を選択することと、前記構造行列とする前記第２プリコーディング行列に基づいて前記第１コードブックを確定することとを実行し、ここで、前記第１指示情報は、前記第２プリコーディング行列を示すための識別情報である。
【０１１９】
１つの可能な実現形態において、プロセッサ４２は、具体的に、前記第２プリコーディング行列の中の列ベクトルの列交換による行列から形成される集合を前記第１コードブックとして確定すること、および／または、前記第２プリコーディング行列と所定の行列集合の中の行列とのそれぞれの所定演算による行列から形成される集合を前記第１コードブックとして確定すること、および／または、前記第２プリコーディング行列を少なくとも２つの成分行列に分解し、前記少なくとも２つの成分行列のうちの少なくとも１つの成分行列と所定の行列集合の中の行列とのそれぞれの所定演算による行列から形成される集合を前記第１コードブックとして確定することを実行する。
【０１２０】
１つの可能な実現形態において、プロセッサ４２は、具体的に、チャネル測定結果に基づいて、所定のプリコーディング行列集合から１つのプリコーディング行列集合を選択して前記第１コードブックとすることを実行し、ここで、前記第１指示情報は、所定のプリコーディング行列集合における前記第１コードブックのインデックス情報である。
【０１２１】
１つの可能な実現形態において、プロセッサ４２は、具体的に、チャネル測定結果に基づいて、所定のプリコーディング行列集合から１つのプリコーディング行列集合を選択することと、チャネル測定結果に基づいて、選択したプリコーディング行列集合から１つのプリコーディング行列部分集合を選択し、選択したプリコーディング行列部分集合を前記第１コードブックとして確定することとを実行し、ここで、前記第１指示情報は、所定のプリコーディング行列集合における選択したプリコーディング行列集合のインデックス情報、および、選択したプリコーディング行列集合における選択したプリコーディング行列部分集合のインデックス情報を含む。
【０１２２】
１つの可能な実現形態において、プロセッサ４２は、さらに、チャネル測定結果に基づいて、前記第１コードブックから１つのプリコーディング行列を選択して第３プリコーディング行列とすることと、前記第３プリコーディング行列に基づいて、第２ＣＱＩを算出することと、前記第３プリコーディング行列を識別するための識別情報と前記第２ＣＱＩを示すための情報を送信機４１によって前記受信側に送信することとを実行する。
【０１２３】
同一の発明思想に基づいて、本開示の一部の実施例において、フィードバック情報受信装置が提供されている。図５に示されているように、前記装置は、送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を受信するための受信モジュール５１と、前記第１コードブックを示すための指示情報から前記第１コードブックを確定し、第１ＣＱＩを示すための指示情報から第１ＣＱＩを確定するための確定モジュール５２とを含む。
【０１２４】
本開示の実施例において、前記第１コードブックの指示情報の具体的な実現形式は、図１に示されている実施例における関連記載を参照されたく、ここでは繰り返して記載しない。
【０１２５】
同一の発明思想に基づいて、本開示の一部の実施例において、受信装置が基地局であることを例として、基地局が提供されている。図６に示されているように、当該基地局は、受信機６１と、当該受信機６１に接続され、メモリ６３からプログラムを読み取ることによって、送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を受信機６１によって受信するプロセスと、前記第１コードブックを示すための指示情報から前記第１コードブックを確定し、第１ＣＱＩを示すための指示情報から第１ＣＱＩを確定するプロセスとを実行するために用いられる少なくとも１つのプロセッサ６２を含む。
【０１２６】
ここで、図６において、バスアーキテクチャは、任意数の相互接続するバスとブリッジを含み、具体的に、プロセッサ６２をはじめとする１つ又は複数のプロセッサとメモリ６３をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。受信機６１は、伝送媒体でほかの各種類の装置と通信するユニットとして提供される。プロセッサ６２は、バスアーキテクチャと通常の処理を管理する。メモリ６３は、プロセッサ６２による作業時に使用されるデータを記憶できる。
【０１２７】
本開示の実施例において、前記第１コードブックの指示情報の具体的な実現形式は、一部の実施例における関連記載を参照されたく、ここでは繰り返して記載しない。
【０１２８】
本開示の実施例は、方法、システム、又はコンピュータプログラムプロダクトとして提供されうると当業者が理解できる。従って、本開示は、完全にハードウェアの実施例、完全にソフトウェアの実施例、又はソフトウェアとハードウェアを組み合わせた実施例の形態を取り得る。しかも、本開示は、コンピュータ利用可能なプログラムコードを含む１つ又は複数のコンピュータ利用可能な記憶媒体（磁気ディスクメモリ、CD-ROM、光学メモリなどを含むが、それらに限らない）で実施されるコンピュータプログラムプロダクトの形態を取り得る。
【０１２９】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０１３０】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０１３１】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０１３２】
本開示の好適な実施例を記載したが、当業者は、基本的な創造性概念をいったん知ると、これらの実施例に対し別の変更や修正をすることができる。従って、添付の特許請求の範囲は、好適な実施例及び本開示の範囲に入る全ての変更や修正を含むことを意図とする。
【０１３３】
明らかに、当業者は、本開示の精神や範囲を逸脱せずに、本開示に対して様々な変更や変形をすることができる。このように、本開示のこれらの修正や変形が本開示の請求項及びその同等の技術範囲に含まれるものであれば、本開示は、これらの変更や変形を含むことを意図とする。
【図１】
2019512935.tif 000030
【図２】
2019512935.tif 000031
【図３】
2019512935.tif 000032
【図４】
2019512935.tif 000033
【図５】
2019512935.tif 000034
【図６】
2019512935.tif 000035
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
同一の構造行列から変換されたプリコーディング行列を含む第１コードブックを、送信側がチャネル測定結果に基づいて確定することと、
前記第１コードブックの中の一部またはすべてのプリコーディング行列に基づいて、前記送信側が第１ＣＱＩ（Ｃｈａｎｎｅｌ  Ｑｕａｌｉｔｙ  Ｉｎｄｉｃａｔｏｒ）を算出することと、
前記第１コードブックを示すための第１指示情報と、前記第１ＣＱＩを示すための第２指示情報を、前記送信側から受信側に送信することとを含むフィードバック情報送信方法。
【請求項２】
前記第１コードブックの中の一部またはすべてのプリコーディング行列に基づいて、前記送信側が第１ＣＱＩを算出することは、
前記送信側が前記第１コードブックからＲＥ（Ｒｅｓｏｕｒｃｅ  Ｅｌｅｍｅｎｔ）毎に１つのプリコーディング行列を選択して前記ＲＥの第１プリコーディング行列とすることと、
第１サブバンド毎に、前記送信側が前記第１サブバンドに含まれるＲＥの第１プリコーディング行列に基づいて、前記第１サブバンドに対応する第１ＣＱＩを算出することとを含む請求項１に記載の方法。
【請求項３】
前記送信側がチャネル測定結果に基づいて第１コードブックを確定することは、
チャネル測定結果に基づいて、前記送信側が所定の第２コードブックから第２プリコーディング行列を選択することと、
前記送信側が前記構造行列とする前記第２プリコーディング行列に基づいて前記第１コードブックを確定することとを含み、
ここで、前記第１指示情報は、前記第２プリコーディング行列を示すための識別情報である請求項１に記載の方法。
【請求項４】
前記送信側が前記第２プリコーディング行列に基づいて前記第１コードブックを確定することは、
前記送信側が前記第２プリコーディング行列の中の列ベクトルの列交換による行列から形成される集合を前記第１コードブックとして確定すること、
および／または、
前記送信側が前記第２プリコーディング行列と所定の行列集合の中の行列とのそれぞれの所定演算による行列から形成される集合を前記第１コードブックとして確定すること、
および／または、
前記送信側が前記第２プリコーディング行列を少なくとも２つの成分行列に分解し、前記少なくとも２つの成分行列のうちの少なくとも１つの成分行列と所定の行列集合の中の行列との所定演算による行列から形成される集合を前記第１コードブックとして確定することを含む請求項３に記載の方法。
【請求項５】
前記送信側がチャネル測定結果に基づいて第１コードブックを確定することは、
チャネル測定結果に基づいて、前記送信側が所定のプリコーディング行列集合から１つのプリコーディング行列集合を選択して前記第１コードブックとすることを含み、
ここで、前記第１指示情報は、所定のプリコーディング行列集合における前記第１コードブックのインデックス情報である請求項１に記載の方法。
【請求項６】
前記送信側がチャネル測定結果に基づいて第１コードブックを確定することは、
チャネル測定結果に基づいて、前記送信側が所定のプリコーディング行列集合から１つのプリコーディング行列集合を選択することと、
前記送信側がチャネル測定結果に基づいて、選択したプリコーディング行列集合から１つのプリコーディング行列部分集合を選択し、選択したプリコーディング行列部分集合を前記第１コードブックとして確定することとを含み、
ここで、前記第１指示情報は、所定のプリコーディング行列集合における選択したプリコーディング行列集合のインデックス情報、および、選択したプリコーディング行列集合における選択したプリコーディング行列部分集合のインデックス情報を含む請求項１に記載の方法。
【請求項７】
チャネル測定結果に基づいて、前記送信側が前記第１コードブックから１つのプリコーディング行列を選択して第３プリコーディング行列とすることと、
前記第３プリコーディング行列に基づいて、前記送信側が第２ＣＱＩを算出することと、
前記第３プリコーディング行列を識別するための識別情報と前記第２ＣＱＩを示すための情報を前記送信側から前記受信側に送信することとをさらに含む請求項１〜６のいずれか一項に記載の方法。
【請求項８】
送信側から、同一の構造行列から変換されたプリコーディング行列を含む第１コードブックを示すための指示情報と、前記第１コードブックの中の一部またはすべてプリコーディング行列に基づいて前記送信側によって算出された第１ＣＱＩを示すための指示情報を、受信側によって受信することと、
前記受信側によって、前記第１コードブックを示すための指示情報から前記第１コードブックを確定し、第１ＣＱＩを示すための指示情報から第１ＣＱＩを確定することとを含むフィードバック情報受信方法。
【請求項９】
前記第１コードブックの指示情報は、
前記送信側によってチャネル測定結果に基づいて所定の第２コードブックから選択したプリコーディング行列である第２プリコーディング行列を示すための識別情報であり、
または、
所定のプリコーディング行列集合における前記第１コードブックのインデックス情報であり、
または、
所定のプリコーディング行列集合における前記送信側によって選択されたプリコーディング行列集合のインデックス情報、および、選択されたプリコーディング行列集合における前記送信側によって選択されたプリコーディング行列部分集合のインデックス情報を含む請求項８に記載の方法。
【請求項１０】
同一の構造行列から変換されたプリコーディング行列を含む第１コードブックを、チャネル測定結果に基づいて確定するための確定モジュールと、
前記第１コードブックの中の一部またはすべてのプリコーディング行列に基づいて、第１ＣＱＩを算出するための計算モジュールと、
前記第１コードブックを示すための第１指示情報と、前記第１ＣＱＩを示すための第２指示情報を、受信側に送信するための送信モジュールとを含むフィードバック情報送信装置。
【請求項１１】
前記計算モジュールは、具体的に、
前記第１コードブックからＲＥ毎に１つのプリコーディング行列を選択して前記ＲＥの第１プリコーディング行列とすること、第１サブバンド毎に、前記第１サブバンドに含まれるＲＥに対応する第１プリコーディング行列に基づいて、前記第１サブバンドに対応する第１ＣＱＩを算出するために用いられる請求項１０に記載の装置。
【請求項１２】
前記確定モジュールは、具体的に、
チャネル測定結果に基づいて、所定の第２コードブックから第２プリコーディング行列を選択すること、前記構造行列とする前記第２プリコーディング行列に基づいて前記第１コードブックを確定するために用いられ、ここで、前記第１指示情報は、前記第２プリコーディング行列を示すための識別情報である請求項１０に記載の装置。
【請求項１３】
前記確定モジュールは、具体的に、
前記第２プリコーディング行列の中の列ベクトルの列交換による行列から形成される集合を前記第１コードブックとして確定すること、および／または、前記第２プリコーディング行列と所定の行列集合の中の行列とのそれぞれの所定演算による行列から形成される集合を前記第１コードブックとして確定すること、および／または、前記第２プリコーディング行列を少なくとも２つの成分行列に分解し、前記少なくとも２つの成分行列のうちの少なくとも１つの成分行列と所定の行列集合の中の行列との所定演算による行列から形成される集合を前記第１コードブックとして確定するために用いられる請求項１２に記載の装置。
【請求項１４】
前記確定モジュールは、具体的に、
チャネル測定結果に基づいて、所定のプリコーディング行列集合から１つのプリコーディング行列集合を選択して前記第１コードブックとするために用いられ、
ここで、前記第１指示情報は、所定のプリコーディング行列集合における前記第１コードブックのインデックス情報である請求項１０に記載の装置。
【請求項１５】
前記確定モジュールは、具体的に、
チャネル測定結果に基づいて、所定のプリコーディング行列集合から１つのプリコーディング行列集合を選択することと、チャネル測定結果に基づいて、選択したプリコーディング行列集合から１つのプリコーディング行列部分集合を選択し、選択したプリコーディング行列部分集合を前記第１コードブックとして確定するために用いられ、
ここで、前記第１指示情報は、所定のプリコーディング行列集合における選択したプリコーディング行列集合のインデックス情報、および、選択したプリコーディング行列集合における選択したプリコーディング行列部分集合のインデックス情報を含む請求項１０に記載の装置。
【請求項１６】
前記計算モジュールは、さらに、チャネル測定結果に基づいて、前記第１コードブックから１つのプリコーディング行列を選択して第３プリコーディング行列とし、前記第３プリコーディング行列に基づいて、第２ＣＱＩを算出するために用いられ、
前記送信モジュールは、さらに、前記第３プリコーディング行列を識別するための識別情報と前記第２ＣＱＩを示すための情報を前記受信側に送信するために用いられる請求項１０〜１５のいずれか一項に記載の装置。
【国際調査報告】
2019512935.tif 000036
2019512935.tif 000037
2019512935.tif 000038
2019512935.tif 000039